(57)【要約】【課題】搬送駆動機構の小型化、低コスト化、構造の簡単化及び部品点数の削減を図るとともに、複数のワーク保持治具のそれぞれに対して好適なワークの受け渡しを行うことができるワーク搬送装置及びワーク搬送方法を得る。【解決手段】複数のワーク保持治具（２０、３０、４０、５０）は、搬送方向に並んで配置されている。複数のワーク搬送腕（６０、７０、８０、９０）は、複数のワーク保持治具（２０、３０、４０、５０）に保持されたワークを搬送方向の上流側のワーク保持治具から下流側のワーク保持治具に順番に受け渡して搬送する。ワーク保持治具駆動機構（２２、３２、４２、５２）は、複数のワーク保持治具（２０、３０、４０、５０）を、搬送方向と直交する上下方向に一次元駆動する。ワーク搬送腕駆動機構（１１０、１３０）は、複数のワーク搬送腕（６０、７０、８０、９０）を、搬送方向と平行をなす面内で直交二方向（前後方向、左右方向）に二次元駆動する。【選択図】図１
2015098072.tif 000002
【特許請求の範囲】
【請求項１】
搬送方向に並んで配置された複数のワーク保持治具と、
前記複数のワーク保持治具に保持されたワークを前記搬送方向の上流側のワーク保持治具から下流側のワーク保持治具に順番に受け渡して搬送する複数のワーク搬送腕と、
前記複数のワーク保持治具を、前記搬送方向と直交する上下方向に一次元駆動するワーク保持治具駆動機構と、
前記複数のワーク搬送腕を、前記搬送方向と平行をなす面内で直交二方向に二次元駆動するワーク搬送腕駆動機構と、
を備えることを特徴とするワーク搬送装置。
【請求項２】
請求項１記載のワーク搬送装置において、
前記ワーク搬送腕駆動機構は、前記複数のワーク搬送腕を、前記複数のワーク保持治具と上下方向に重なる前進位置と重ならない後退位置との間で前後移動させ、且つ、この前進位置と後退位置において前記搬送方向と平行な方向に左右移動させるワーク搬送装置。
【請求項３】
請求項１または２記載のワーク搬送装置において、
前記ワーク保持治具駆動機構は、前記複数のワーク保持治具の上下方向の位置ないし上下方向への移動量を個別に変更可能であるワーク搬送装置。
【請求項４】
請求項１ないし３のいずれか１項記載のワーク搬送装置において、
前記複数のワーク搬送腕は、前記複数のワーク保持治具を囲む二股形状をなしているワーク搬送装置。
【請求項５】
搬送方向に並んで配置された複数のワーク保持治具と、この複数のワーク保持治具に対応して前記搬送方向に並んで配置された複数のワーク搬送腕と、を備えたワーク搬送装置において、前記複数のワーク搬送腕により、前記複数のワーク保持治具に保持されたワークを前記搬送方向の上流側のワーク保持治具から下流側のワーク保持治具に順番に受け渡して搬送するワーク搬送方法であって、
前記複数のワーク保持治具に前記ワークを保持した状態で、前記複数のワーク搬送腕を、前記複数のワーク保持治具の下方に位置させる第１のステップと、
前記複数のワーク保持治具を前記複数のワーク搬送腕よりも下方に移動させることにより、前記複数のワーク保持治具に保持された前記ワークを前記複数のワーク搬送腕に引き渡す第２のステップと、
前記ワークが引き渡された前記複数のワーク搬送腕を、前記複数のワーク保持治具の上方位置において、前記搬送方向の下流側に向けて移動させる第３のステップと、
前記複数のワーク保持治具を前記複数のワーク搬送腕よりも上方に移動させることにより、前記複数のワーク搬送腕に引き渡された前記ワークを、前記第１のステップよりも下流側の前記複数のワーク保持治具に保持させる第４のステップと、
前記複数のワーク搬送腕を、前記複数のワーク保持治具と上下方向に重ならない位置に後退させる第５のステップと、
前記複数のワーク搬送腕を、前記後退位置において、前記搬送方向の上流側に向けて移動させる第６のステップと、
前記複数のワーク搬送腕を前進させて、前記複数のワーク保持治具の下方の前進位置に位置させることにより、前記第１のステップに復帰する第７のステップと、
をこの順番で繰り返して実行することを特徴とするワーク搬送方法。
【請求項６】
請求項５記載のワーク搬送方法において、
前記第２のステップ及び前記第４のステップでは、前記複数のワーク保持治具の上下方向の位置ないし上下方向への移動量を個別に異ならせるワーク搬送方法。
【発明の詳細な説明】
【技術分野】
【０００１】
本発明は、ワーク搬送装置及びワーク搬送方法に関する。
【背景技術】
【０００２】
一般的に、ワーク搬送装置として、搬送方向に並んで配置された複数のワーク保持治具と、この複数のワーク保持治具に保持されたワークを搬送方向の上流側のワーク保持治具から下流側のワーク保持治具に順番に受け渡して搬送する複数のワーク搬送腕と、を備えたものが知られている。このワーク搬送装置では、ワーク保持治具によるワーク保持動作とワーク搬送腕によるワーク搬送動作が交互にかつ間欠的に繰り返され、ワーク保持治具がワークを保持している間に、ワークの加工工程やワークへの部品組付工程が行われることがある。
【０００３】
このようなワーク搬送装置は、その性質上、ワークを、その搬送方向と直交する上下方向と、その搬送方向と平行をなす面内における直交二方向（前後方向、左右方向）とを含む三次元空間内で駆動させることが必須である。従来品のワーク搬送装置は、この三次元駆動を可能にするために、複数のワーク保持治具の位置を固定した上で、複数のワーク搬送腕を固定の複数のワーク保持治具に対して、上下方向、前後方向、及び左右方向に三次元駆動するのが技術常識であった。
【先行技術文献】
【特許文献】
【０００４】
【特許文献１】特開平１０−２１６８６５号公報
【特許文献２】特開２００２−２８４３３０号公報
【発明の概要】
【発明が解決しようとする課題】
【０００５】
しかしながら、この従来品のワーク搬送装置にあっては、複数のワーク搬送腕を三次元駆動するための搬送駆動機構（三次元駆動機構）の剛性の確保の要請に応えるべく、搬送駆動機構の大型化、高コスト化、構造の複雑化及び部品点数の増加が避けられない。
【０００６】
一方、複数のワーク保持治具において行われるワークの加工工程やワークへの部品組付工程は、ワーク保持治具毎にその内容が異なるものであるため、複数のワーク保持治具の上下方向の固定位置には高低差が生じるのが普通である。ところが、従来品のワーク搬送装置は、搬送駆動機構の構成上、このように高低差のある複数のワーク保持治具のそれぞれに対して好適なワークの受け渡しを行うには、搬送駆動機構に、高低差のある複数のワーク保持治具に対して複数のワーク搬送腕の上下方向位置を個別に調整可能なアクチュエータを搭載しなければならず、やはり、搬送駆動機構の大型化、高コスト化、構造の複雑化及び部品点数の増加を招いてしまう。
【０００７】
本発明は、以上の問題意識に基づいて完成されたものであり、搬送駆動機構の小型化、低コスト化、構造の簡単化及び部品点数の削減を図るとともに、複数のワーク保持治具のそれぞれに対して好適なワークの受け渡しを行うことができるワーク搬送装置及びワーク搬送方法を得ることを目的とする。
【課題を解決するための手段】
【０００８】
本発明のワーク搬送装置は、搬送方向に並んで配置された複数のワーク保持治具と、前記複数のワーク保持治具に保持されたワークを前記搬送方向の上流側のワーク保持治具から下流側のワーク保持治具に順番に受け渡して搬送する複数のワーク搬送腕と、前記複数のワーク保持治具を、前記搬送方向と直交する上下方向に一次元駆動するワーク保持治具駆動機構と、前記複数のワーク搬送腕を、前記搬送方向と平行をなす面内で直交二方向に二次元駆動するワーク搬送腕駆動機構と、を備えることを特徴としている（請求項１）。
【０００９】
前記ワーク搬送腕駆動機構は、前記複数のワーク搬送腕を、前記複数のワーク保持治具と上下方向に重なる前進位置と重ならない後退位置との間で前後移動させ、且つ、この前進位置と後退位置において前記搬送方向と平行な方向に左右移動させることが好ましい（請求項２）。
【００１０】
前記ワーク保持治具駆動機構は、前記複数のワーク保持治具の上下方向の位置ないし上下方向への移動量を個別に変更可能であることが好ましい（請求項３）。
【００１１】
前記複数のワーク搬送腕は、前記複数のワーク保持治具を囲む二股形状をなしていることが好ましい（請求項４）。
【００１２】
本発明のワーク搬送方法は、搬送方向に並んで配置された複数のワーク保持治具と、この複数のワーク保持治具に対応して前記搬送方向に並んで配置された複数のワーク搬送腕と、を備えたワーク搬送装置において、前記複数のワーク搬送腕により、前記複数のワーク保持治具に保持されたワークを前記搬送方向の上流側のワーク保持治具から下流側のワーク保持治具に順番に受け渡して搬送するワーク搬送方法であって、前記複数のワーク保持治具に前記ワークを保持した状態で、前記複数のワーク搬送腕を、前記複数のワーク保持治具の下方に位置させる第１のステップと、前記複数のワーク保持治具を前記複数のワーク搬送腕よりも下方に移動させることにより、前記複数のワーク保持治具に保持された前記ワークを前記複数のワーク搬送腕に引き渡す第２のステップと、前記ワークが引き渡された前記複数のワーク搬送腕を、前記複数のワーク保持治具の上方位置において、前記搬送方向の下流側に向けて移動させる第３のステップと、前記複数のワーク保持治具を前記複数のワーク搬送腕よりも上方に移動させることにより、前記複数のワーク搬送腕に引き渡された前記ワークを、前記第１のステップよりも下流側の前記複数のワーク保持治具に保持させる第４のステップと、前記複数のワーク搬送腕を、前記複数のワーク保持治具と上下方向に重ならない位置に後退させる第５のステップと、前記複数のワーク搬送腕を、前記後退位置において、前記搬送方向の上流側に向けて移動させる第６のステップと、前記複数のワーク搬送腕を前進させて、前記複数のワーク保持治具の下方の前進位置に位置させることにより、前記第１のステップに復帰する第７のステップと、をこの順番で繰り返して実行することを特徴としている（請求項５）。
【００１３】
前記第２のステップ及び前記第４のステップでは、前記複数のワーク保持治具の上下方向の位置ないし上下方向への移動量を個別に異ならせることが好ましい（請求項６）。
【発明の効果】
【００１４】
請求項１に係る発明によれば、複数のワーク保持治具と複数のワーク搬送腕を相対的に三次元駆動するための搬送駆動機構（三次元駆動機構）を、複数のワーク保持治具を上下方向に一次元駆動するワーク保持治具駆動機構と、複数のワーク搬送腕を直交二方向（前後方向、左右方向）に二次元駆動するワーク搬送腕駆動機構とから構成しているので、搬送駆動機構（特にワーク搬送腕駆動機構）に対して過剰に高い剛性レベルを確保する必要がなくなり、その結果、搬送駆動機構の小型化、低コスト化、構造の簡単化及び部品点数の削減を図ることができる。また、ワーク保持治具駆動機構によって複数のワーク保持治具の上下方向位置を調整することにより、複数のワーク保持治具のそれぞれに対して好適なワークの受け渡しを行うことができる。
【００１５】
請求項２に係る発明によれば、ワーク保持治具駆動機構による複数のワーク保持治具の上下方向への一次元駆動と絶妙のコンビネーションでもって、ワーク搬送腕駆動機構によって複数のワーク搬送腕を直交二方向（前後方向、左右方向）に二次元駆動することができる。
【００１６】
請求項３に係る発明によれば、ワーク保持治具駆動機構によって複数のワーク保持治具の上下方向位置を個別にかつ所望の高低差をもって調整することにより、高低差のある複数のワーク保持治具のそれぞれに対して好適なワークの受け渡しを行うことができる。
【００１７】
請求項４に係る発明によれば、たとえ複数のワーク保持治具と複数のワーク搬送腕が上下方向に重なっていたとしても、複数のワーク保持治具と複数のワーク搬送腕が干渉するのを防止して、ワークの受け渡しをスムーズに行うことができる。
【００１８】
請求項５に係る発明によれば、複数のワーク保持治具によるワーク保持動作と複数のワーク搬送腕によるワーク搬送動作を一連の流れの中で交互にかつ間欠的に繰り返すことで、円滑かつ高精度なワーク搬送を実現することができる。また、請求項５に係るワーク搬送方法の発明をワーク搬送装置として実現したときには、請求項１に係るワーク搬送装置の発明と同様に、搬送駆動機構の小型化、低コスト化、構造の簡単化及び部品点数の削減を図るとともに、複数のワーク保持治具のそれぞれに対して好適なワークの受け渡しを行うことができる。
【００１９】
請求項６に係る発明によれば、複数のワーク保持治具の上下方向位置を個別にかつ所望の高低差をもって調整することにより、高低差のある複数のワーク保持治具のそれぞれに対して好適なワークの受け渡しを行うことができる。
【図面の簡単な説明】
【００２０】
【図１】図１（Ａ）と図１（Ｂ）は、本発明によるワーク搬送装置の構成を示す平面図と側面図である。
【図２】図２（Ａ）と図２（Ｂ）は、本発明によるワーク搬送装置を用いたワーク搬送方法の第１ステップを示す平面図と側面図である。
【図３】図３（Ａ）と図３（Ｂ）は、本発明によるワーク搬送装置を用いたワーク搬送方法の第２ステップを示す平面図と側面図である。
【図４】図４（Ａ）と図４（Ｂ）は、本発明によるワーク搬送装置を用いたワーク搬送方法の第３ステップを示す平面図と側面図である。
【図５】図５（Ａ）と図５（Ｂ）は、本発明によるワーク搬送装置を用いたワーク搬送方法の第４ステップを示す平面図と側面図である。
【図６】図６（Ａ）と図６（Ｂ）は、本発明によるワーク搬送装置を用いたワーク搬送方法の第５ステップを示す平面図と側面図である。
【図７】図７（Ａ）と図７（Ｂ）は、本発明によるワーク搬送装置を用いたワーク搬送方法の第６ステップを示す平面図と側面図である。
【図８】図８（Ａ）と図８（Ｂ）は、本発明によるワーク搬送装置を用いたワーク搬送方法の第７ステップを示す平面図と側面図である。
【図９】図９は、本発明によるワーク搬送装置を用いて、ラウンドリクライニング装置の構成部品であるベースプレートをワークとしてこれを搬送しながら、該ベースプレートに３つのポールと１つのカムを順次組み付けていく工程を示す図である。
【発明を実施するための形態】
【００２１】
図１〜図９を参照して、本発明によるワーク搬送装置及びワーク搬送方法について説明する。以下の説明中の「上下方向」、「前後方向」及び「左右方向」は、図１〜図９中記載した矢線方向を基準とする。また図１〜図９中の「左方向」が「搬送方向」に対応する。
【００２２】
図１に示すように、ワーク搬送装置１０は、搬送方向の上流側から下流側に向かって順に（右方向から左方向に向かって順に）並んで配置された４つのワーク保持治具２０、３０、４０、５０を有している。ワーク保持治具２０、３０、４０、５０は、上下方向に長い円筒状部材からなり、その上面に、ワークを吸着保持する吸着保持面２１、３１、４１、５１を有している。ワーク保持治具２０、３０、４０、５０の下面には、エアシリンダ２２、３２、４２、５２が結合されており、このエアシリンダ２２、３２、４２、５２のシリンダロッド２３、３３、４３、５３が上下方向に伸縮駆動されるようになっている。すなわち、エアシリンダ２２、３２、４２、５２は、ワーク保持治具２０、３０、４０、５０を、搬送方向と直交する上下方向に一次元駆動する「ワーク保持治具駆動機構」として機能する。
【００２３】
エアシリンダ２２〜５２（ワーク保持治具駆動機構）は、ワーク保持治具２０〜５０の上下方向の位置及び上下方向の移動量を個別に変更可能である。本実施形態では、ワーク保持治具２０〜４０の上下方向の位置及び上下方向の移動量が同一となるように設定されており、ワーク保持治具５０の上下方向の位置及び上下方向の移動量がワーク保持治具２０〜４０の上下方向の位置及び上下方向の移動量とは異なるように設定されている。
【００２４】
また図示は省略しているが、ワーク搬送装置１０は、ワーク保持治具２０〜５０の回転角度位置を調整する回転角度位置調整機構を有している。
【００２５】
ワーク搬送装置１０は、４つのワーク保持治具２０、３０、４０、５０に対応させて、搬送方向の上流側から下流側に向かって順に（右方向から左方向に向かって順に）並んで配置された４つのワーク搬送腕６０、７０、８０、９０を有している。ワーク搬送腕６０、７０、８０、９０は、ワーク保持治具２０、３０、４０、５０を囲む二股形状をなしている。これにより、ワーク保持治具２０〜５０とワーク搬送腕６０〜９０が干渉するのを防止して、両部材の間のワークの引き渡しをスムーズに行うことができる。
【００２６】
ワーク搬送腕６０〜９０は、左右方向移動ステージ１００に固定されている。左右方向移動ステージ１００は、左右方向リニアガイド機構１１０を介して、前後方向移動ステージ１２０に対して、左右方向（搬送方向）に移動可能に支持されている。前後方向移動ステージ１２０は、前後方向リニアガイド機構１３０を介して、固定支持部材１４０に対して、前後方向に移動可能に支持されている。
【００２７】
左右方向リニアガイド機構１１０は、左右方向移動ステージ１００の下面に固定された２つのガイド部材１１２、並びに前後方向移動ステージ１２０の上面に固定された各１つのガイドシャフト１１４及びエアシリンダ１１６を有している。エアシリンダ１１６のシリンダロッド１１８（図４、図５、図６）の先端部は、接続部材１１９を介して、左右方向移動ステージ１００に固定されている。前後方向移動ステージ１２０のガイドシャフト１１４に左右方向移動ステージ１００の２つのガイド部材１１２をガイドした状態で、エアシリンダ１１６のシリンダロッド１１８を左右方向（搬送方向）に伸縮駆動することにより、左右方向移動ステージ１００（ワーク搬送腕６０〜９０）を、前後方向移動ステージ１２０に対して、左右方向（搬送方向）に移動させることができる。
【００２８】
前後方向リニアガイド機構１３０は、前後方向移動ステージ１２０の下面に固定された２つのガイド部材１３２、並びに固定支持部材１４０の上面に固定された２つのガイドシャフト１３４及び１つのエアシリンダ１３６を有している。エアシリンダ１３６のシリンダロッド１３８の先端部は、接続部材１３９を介して、前後方向移動ステージ１２０に固定されている。固定支持部材１４０の２つのガイドシャフト１３４に前後方向移動ステージ１２０の２つのガイド部材１３２をそれぞれガイドした状態で、エアシリンダ１３６のシリンダロッド１３８を前後方向に伸縮駆動することにより、前後方向移動ステージ１２０（左右方向移動ステージ１００（ワーク搬送腕６０〜９０））を、固定支持部材１４０に対して、前後方向に移動させることができる。
【００２９】
以上の構成により、左右方向リニアガイド機構１１０と前後方向リニアガイド機構１３０は、ワーク搬送腕６０〜９０を、搬送方向と平行をなす面内で直交二方向（前後方向、左右方向）に二次元駆動する「ワーク搬送腕駆動機構」として機能する。
【００３０】
より具体的に、左右方向リニアガイド機構１１０と前後方向リニアガイド機構１３０（ワーク搬送腕駆動機構）は、ワーク搬送腕６０〜９０を、ワーク保持治具２０〜５０と上下方向に重なる前進位置と重ならない後退位置との間で前後移動させ、且つ、この前進位置と後退位置において搬送方向と平行な方向に左右移動させることができる。これにより、ワーク搬送腕６０〜９０により、ワーク保持治具２０〜５０に保持されたワークを搬送方向の上流側のワーク保持治具から下流側のワーク保持治具に順番に受け渡して搬送することができる。
【００３１】
続いて、図２〜図９を参照して、本発明によるワーク搬送装置１０を用いたワーク搬送方法について説明する。ここでは、ラウンドリクライニング装置の構成部品であるベースプレート１５０をワークとしてこれを搬送しながら、該ベースプレート１５０に３つのポール１５２、１５４、１５６と１つのカム１５８を順次組み付けていく工程を例示して説明する。
【００３２】
図２〜図９では、発明の理解を容易にするため、初期状態において、最も上流側のワーク保持治具２０に保持されたベースプレート１５０並びにその搬送工程及び組付工程のみを描いてこれに対応する説明を行っている。しかし実際には、ワーク保持治具２０より下流側のワーク保持治具３０、４０、５０にもそれぞれベースプレート１５０が保持されており、各搬送工程及び各組付工程を経由しながら順番に下流側に導かれていく。
【００３３】
［第１のステップ］
まず、図２に示すように、前後方向リニアガイド機構１３０（ワーク搬送腕駆動機構）を介して、ワーク搬送腕６０〜９０を、ワーク保持治具２０〜５０と上下方向に重なる前進位置に移動させることにより、最も上流側のワーク保持治具２０にベースプレート１５０を保持した状態で、最も上流側のワーク搬送腕６０を、ワーク保持治具２０の下方に位置させる。
【００３４】
［第２のステップ］
次いで、図３に示すように、エアシリンダ２２〜５２（ワーク保持治具駆動機構）を介して、ワーク保持治具２０〜５０を、ワーク搬送腕６０〜９０よりも下方に移動させることにより、ワーク保持治具２０に保持されたベースプレート１５０をワーク搬送腕６０に引き渡す。このとき、ワーク保持治具５０の上下方向の移動量がワーク保持治具２０〜４０の上下方向の移動量とは異なるように設定されている。
【００３５】
［第３のステップ］
次いで、図４に示すように、左右方向リニアガイド機構１１０（ワーク搬送腕駆動機構）を介して、ベースプレート１５０が引き渡されたワーク搬送腕６０を含むワーク搬送腕６０〜９０を、ワーク保持治具２０〜５０の上方位置において、搬送方向の下流側に向けて移動させる。
【００３６】
［第４のステップ］
次いで、図５に示すように、エアシリンダ２２〜５２（ワーク保持治具駆動機構）を介して、ワーク保持治具２０〜５０を、ワーク搬送腕６０〜９０よりも上方に移動させることにより、ワーク搬送腕６０に引き渡されたベースプレート１５０を、［第１のステップ］の初期状態のワーク保持治具２０より１つ下流側のワーク保持治具３０に保持させる。このとき、ワーク保持治具５０の上下方向の位置及び上下方向の移動量がワーク保持治具２０〜４０の上下方向の位置及び上下方向の移動量とは異なるように設定されている。
【００３７】
［第５のステップ］
次いで、図６に示すように、前後方向リニアガイド機構１３０（ワーク搬送腕駆動機構）を介して、ワーク搬送腕６０〜９０を、ワーク保持治具２０〜５０と上下方向に重ならない後退位置に移動させる。
【００３８】
［第６のステップ］
次いで、図７に示すように、左右方向リニアガイド機構１１０（ワーク搬送腕駆動機構）を介して、ワーク搬送腕６０〜９０を、その後退位置において、搬送方向の上流側に向けて移動させる。
【００３９】
［第７のステップ］
最後に、図８に示すように、前後方向リニアガイド機構１３０（ワーク搬送腕駆動機構）を介して、ワーク搬送腕６０〜９０を前進させて、ワーク保持治具２０〜５０の下方の前進位置に位置させることにより、［第１のステップ］に復帰する。
【００４０】
以上の［第１のステップ］〜［第７のステップ］をこの順番で繰り返して実行することで、ワーク搬送腕６０〜９０により、ワーク保持治具２０〜５０に保持されたベースプレート１５０を搬送方向の上流側のワーク保持治具から下流側のワーク保持治具に順番に受け渡して搬送することができる。
【００４１】
図９に示すように、ベースプレート１５０がワーク搬送腕７０の上方に位置するワーク保持治具３０に保持されている間に、ベースプレート１５０に１つ目のポール１５２が組み付けられる。また、ベースプレート１５０がワーク搬送腕８０の上方に位置するワーク保持治具４０に保持されている期間を利用して、ベースプレート１５０に２つ目のポール１５４と３つ目のポール１５６が組み付けられる。さらに、ベースプレート１５０がワーク搬送腕９０の上方に位置するワーク保持治具５０に保持されている期間を利用して、ベースプレート１５０にカム１５８が組み付けられる。ベースプレート１５０に各構成部品１５２、１５４、１５６、１５８を組み付けるに際し、ワーク保持治具２０〜５０は、図示しない回転角度位置調整機構によって、その回転角度位置が調整される。
【００４２】
このように、本実施形態のワーク搬送装置及びワーク搬送方法によれば、複数のワーク保持治具（２０、３０、４０、５０）と複数のワーク搬送腕（６０、７０、８０、９０）を相対的に三次元駆動するための搬送駆動機構（三次元駆動機構）を、複数のワーク保持治具（２０、３０、４０、５０）を上下方向に一次元駆動するワーク保持治具駆動機構（２２、３２、４２、５２）と、複数のワーク搬送腕（６０、７０、８０、９０）を直交二方向（前後方向、左右方向）に二次元駆動するワーク搬送腕駆動機構（１１０、１３０）とから構成しているので、搬送駆動機構（特にワーク搬送腕駆動機構）に対して過剰に高い剛性レベルを確保する必要がなくなり、その結果、搬送駆動機構の小型化、低コスト化、構造の簡単化及び部品点数の削減を図ることができる。
【００４３】
また、複数のワーク保持治具（２０、３０、４０、５０）によるワーク保持動作と複数のワーク搬送腕（６０、７０、８０、９０）によるワーク搬送動作を一連の流れの中で交互にかつ間欠的に繰り返すことで、円滑かつ高精度なワーク搬送を実現することができる。
【００４４】
さらに、ワーク保持治具駆動機構（２２、３２、４２、５２）によって複数のワーク保持治具（２０、３０、４０、５０）の上下方向位置を個別にかつ所望の高低差をもって調整することにより、高低差のある複数のワーク保持治具（２０、３０、４０、５０）のそれぞれに対して好適なワークの受け渡しを行うことができる。
【００４５】
以上の実施形態では、搬送方向の上流側から下流側に向かって順に、４つのワーク保持治具２０、３０、４０、５０と４つのワーク搬送腕６０、７０、８０、９０を並んで配置した場合を例示して説明したが、ワーク保持治具とワーク搬送腕の数は、これに限定されるものではなく、種々の設計変更が可能である。
【００４６】
以上の実施形態では、ワーク保持治具２０〜４０の上下方向の位置及び上下方向の移動量が同一となるように設定されており、ワーク保持治具５０の上下方向の位置及び上下方向の移動量がワーク保持治具２０〜４０の上下方向の位置及び上下方向の移動量とは異なるように設定されている場合を例示して説明した。しかし、ワーク保持治具２０〜５０の上下方向の位置及び上下方向の移動量を全て異なるように設定する態様も可能である。
【符号の説明】
【００４７】
１０  ワーク搬送装置
２０  ３０  ４０  ５０  ワーク保持治具
２１  ３１  ４１  ５１  吸着保持面
２２  ３２  ４２  ５２  エアシリンダ（ワーク保持治具駆動機構）
２３  ３３  ４３  ５３  シリンダロッド
６０  ７０  ８０  ９０  ワーク搬送腕
１００  左右方向移動ステージ
１１０  左右方向リニアガイド機構（ワーク搬送腕駆動機構）
１１２  ガイド部材
１１４  ガイドシャフト
１１６  エアシリンダ
１１８  シリンダロッド
１１９  接続部材
１２０  前後方向移動ステージ
１３０  前後方向リニアガイド機構（ワーク搬送腕駆動機構）
１３２  ガイド部材
１３４  ガイドシャフト
１３６  エアシリンダ
１３８  シリンダロッド
１３９  接続部材
１４０  固定支持部材
１５０  ベースプレート（ワーク）
１５２  １５４  １５６  ポール
１５８  カム
【図１】
2015098072.tif 000003
【図２】
2015098072.tif 000004
【図３】
2015098072.tif 000005
【図４】
2015098072.tif 000006
【図５】
2015098072.tif 000007
【図６】
2015098072.tif 000008
【図７】
2015098072.tif 000009
【図８】
2015098072.tif 000010
【図９】
2015098072.tif 000011